(57)【要約】少なくとも二つの通信デバイス（４，５，６，７，８）の間の通信を解放する方法において、非接触態様で読み出され得ると共に許可コード（ＡＵＣ）を含むデータキャリア（３６）が、解放されるべき通信デバイス（４，５，８）の周辺部にもたらされ、許可コード（ＡＵＣ）は、関連する通信デバイス（４，５，８）に含まれる読み出しデバイス（２１，２２，２５）によって非接触態様で読み出されると共に、許可コード（ＡＵＣ）を解析した後、解放されるべき通信デバイス（４，５，８）の間の通信を解放することを負う解放デバイス（４０，４１，４４）に読み出しデバイス（２１，２２，２５）によって入力される。
2005520419.tif 000002
【特許請求の範囲】
【請求項１】
互いに通信するように構成される少なくとも二つの通信デバイスの間の通信を解放する方法であって、非接触態様で読み出し得ると共に許可コードを含むデータキャリアが、少なくとも二つの前記通信デバイスの周辺部にもたらされ、このように所与の通信デバイスの前記周辺部にもたらされる前記データキャリアは、前記所与の通信デバイスに接続されると共に非接触態様で読み出され得る読み出しデバイスとの非接触読み出し接続部にもたらされ、前記許可コードは、前記読み出しデバイスとの前記非接触読み出し接続部にもたらされる前記データキャリアから各々の前記読み出しデバイスによって読み出され、読み出される前記許可コードに関して確認が行われ、前記許可コードが前記データキャリアから読み出されると、前記読み出しデバイスによって前記許可コードが前記データキャリアから読み出された前記通信デバイスは互いの通信のために解放され、読み出される前記許可コードは確認されていると共に正の結果は前記確認のために受信されている方法。
【請求項２】
前記通信デバイスは、前記通信デバイスの間の直接通信を可能にする領域にもたらされ、それ故に前記通信デバイスの間で通信は直接行われることが可能になり、単一のデータキャリアが、互いの通信に対して解放されるべき全ての前記通信デバイスを解放するために使用され、前記データキャリアは、互いの通信に対して解放されるべき前記通信デバイスの前記読み出しデバイスの各々との前記非接触読み出し接続部に連続してもたらされる請求項１に記載の方法。  
【請求項３】
互いの通信のために解放されるべき前記通信デバイスは、前記通信デバイスの間の直接通信を可能にさせない複数の領域に分割され、このことは前記通信デバイスの間の通信が間接的に第一の送信チャネルを介してのみ可能になることを意味し、通信のために解放されるべき各々の前記通信デバイスは別個のデータキャリアと関係付けられ、前記許可コードは各々の前記別個のデータキャリアに送信される請求項１に記載の方法。    
【請求項４】
前記別個のデータキャリアに対する前記許可コードの前記送信は、前記第一の送信チャネルと異なる第二の送信チャネルを介して行われる請求項３に記載の方法。  
【請求項５】
各々がモバイル電話器に収容される前記データキャリアは前記別個のデータキャリアとして使用される請求項４に記載の方法。
【請求項６】
他の通信デバイスと通信する用途に適するように構成される他の通信デバイスと通信することを目的とすると共に通信するように構成され、非接触態様で読み出され得ると共に許可コードを含むデータキャリアが非接触読み出し接続部にもたらされ得る非接触態様で読み出し得る読み出しデバイスを有し、前記読み出しデバイスによって、前記データキャリアに含まれる前記許可コードは読み出されることが可能である通信デバイスであって、前記通信デバイスは、前記読み出しデバイスと共に動作し、前記許可コードが前記読み出しデバイスによって読み出されていると共に前記許可コードが確認されていると、他の通信デバイスとの通信のための前記通信デバイスを解放することを目的とすると共に解放するように構成される解放デバイスを有する通信デバイス。  
【発明の詳細な説明】
【技術分野】
【０００１】
本発明は、互いに通信するように構成される、少なくとも二つの通信デバイスの間で通信を解放（リリース（ｒｅｌｅａｓｅ））する方法に関する。
【０００２】
本発明は更に、他の通信デバイスと通信する用途に適するように構成される他の通信デバイスと通信することを目的とすると共に通信するように構成される通信デバイスに関する。
【背景技術】
【０００３】
上記第一の段落に記載の種類の方法が行われてもよい広く様々に知られている態様が存在する。例えば、あるモバイル電話器から他のモバイル電話器の番号がダイヤルされ、その後一旦ダイヤルされる番号は他のモバイル電話器によって受信され、他のモバイル電話器が活性化されると、二つのモバイル電話器の間の通信が解放されるモバイル電話器と接続されることで知られているこの種の方法が存在する。
【０００４】
知られている方法でありながら、通信は多なかれ少なかれ安全性のない態様で二つの通信デバイスの間に解放され得るという問題が存在する。このことは、所望されないと共に安全性のない通信が少なくとも二つの通信デバイスの間にもたらされ得る場合があり得ることを意味する。
【発明の開示】
【発明が解決しようとする課題】
【０００５】
本発明の目的は、簡単且つ信頼性のある態様で上記の可能性を未然に防止すると共に改善された方法及び改善された通信デバイスを提供することにある。
【課題を解決するための手段】
【０００６】
上記目的を達成するために、本発明による方法で本発明による特徴がもたらされる。それ故に本発明による方法は以下に詳細に記載されるように特徴付けられ得る。
【０００７】
すなわち、互いに通信するように構成される少なくとも二つの通信デバイスの間の通信を解放する方法であって、非接触態様で読み出し得ると共に許可コード（オーソライゼイションコード（ａｕｔｈｏｒｉｚａｔｉｏｎ  ｃｏｄｅ））を含むデータキャリアが、少なくとも二つの前記通信デバイスの周辺部にもたらされ、このように所与の通信デバイスの前記周辺部にもたらされる前記データキャリアは、前記所与の通信デバイスに接続されると共に非接触態様で読み出され得る読み出しデバイスとの非接触読み出し接続部にもたらされ、前記許可コードは、前記読み出しデバイスとの前記非接触読み出し接続部にもたらされる前記データキャリアから各々の前記読み出しデバイスによって読み出され、読み出される前記許可コードに関して確認が行われ、前記許可コードが前記データキャリアから読み出されると、前記読み出しデバイスによって前記許可コードが前記データキャリアから読み出された前記通信デバイスは互いの通信のために解放され、読み出される前記許可コードは確認されていると共に正の結果は前記確認のために受信されている方法である。
【０００８】
上記目的を達成するために、本発明による通信デバイスで本発明による特徴がもたらされる。それ故に本発明による通信デバイスは以下に詳細に記載されるように特徴付けられ得る。
【０００９】
すなわち、他の通信デバイスと通信する用途に適するように構成される他の通信デバイスと通信することを目的とすると共に通信するように構成され、非接触態様で読み出され得ると共に許可コードを含むデータキャリアが非接触読み出し接続部にもたらされ得る非接触態様で読み出し得る読み出しデバイスを有し、前記読み出しデバイスによって、前記データキャリアに含まれる前記許可コードは読み出されることが可能であり、前記通信デバイスは、前記読み出しデバイスと共に動作し、前記許可コードが前記読み出しデバイスによって読み出されていると共に前記許可コードが確認されていると、他の通信デバイスとの通信のための前記通信デバイスを解放することを目的とすると共に解放するように構成される解放デバイス（（ｒｅｌｅａｓｉｎｇ  ｄｅｖｉｃｅ））を有する通信デバイスである。
【００１０】
本発明による特徴がもたらされることによって、簡単且つ容易な実現態様で少なくとも二つの通信デバイスの間の通信の解放は安全性のある態様でのみ行われ得ると共に、それ故に高水準のセキュリティがこの種の通信の解放に対して保証され、従って少なくとも二つの通信デバイスの間のいかなる所望されない通信も高いレベルの信頼性で防止される。
【００１１】
本発明による方法において、請求項２に記載の特徴も提供されることは有利になることが分かっている。それによって達成されることは、例えば通信デバイスの間の直接通信を可能にする単一の部屋又はビルディングに位置されてもよい、いかなる所望の数の通信デバイスも、通信のために解放され得る通信デバイスの周辺部（ｖｉｃｉｎｉｔｙ）に単一のデータキャリアを連続的にもたらすことによってたった一つのデータキャリアを使用して互いの通信に対して許可され（権限を与えられ）、それ故に解放され得ることである。
【００１２】
本発明による方法において、請求項３に詳細に記載されている特徴ももたらされる場合、非常に有利となることが更に分かっている。このように有利に実現されることは、許可コードが中心点（ｃｅｎｔｒａｌ  ｐｏｉｎｔ）から複数の別個のデータキャリアに伝送され得ることである。この場合、複数のデータキャリアへの許可コードのいかなるこのような伝送にも後続して、データキャリアの各々は、関連するデータキャリアに関係する通信デバイスの周辺部にもたらされ得る。この手段によって、関連する通信デバイスは、読み出される許可コードを使用して許可されると共に解放される。
【００１３】
請求項３に詳細に記載されている特徴を有する本発明による方法において、請求項４に詳細に記載されている特徴ももたらされる場合、特に有利となることが分かっている。このようにもたらされることは、許可コードの送信に関する特に高いセキュリティ、及びそれ故に複数の通信局の間の通信の解放に対する特に高いセキュリティである。
【００１４】
上記段落に記載の方法において、別個のデータキャリアとして使用されるものが、各々はモバイル電話器内に収容（ハウジング）されるデータキャリアモジュールである場合、特に有利となることが分かっている。これにより、許可コードが、何れにしてももたらされるモバイル電話送信チャネルを介して中心点から複数のモバイル電話器に簡単な態様で送信されることが可能となり、これに後続して、許可コードはそれからモバイル電話器内に収容されるデータキャリアモジュールに記憶されるように送信され、その後、記憶された許可コードはそれから、関連する通信デバイスに含まれる読み出しデバイスに非接触態様（ｎｏｎ−ｃｏｎｔａｃｔｉｎｇ  ｍａｎｎｅｒ）で許可コードを読み出させることによってモバイル電話器に関係する通信デバイスに非接触態様で送信され得る。データキャリアモジュールに関係する通信デバイスを有するこの種のモバイル電話器は、ＰＣ又はラップトップ若しくは他の通信デバイスであってもよい。
【００１５】
本発明のこれら及び他の態様は、以下に記載の実施例から明らかであり、以下に記載の実施例に関連して説明されるであろうが、本発明がこれらの実施例に限定されることはない。
【発明を実施するための最良の形態】
【００１６】
通信デバイスの第一の構成体１が図１に示されている。構成体１はビルディング３の部屋２に収容される。
【００１７】
構成体１は、当該例の場合、画像投影デバイス（イメージプロジェクティングデバイス）（ｉｍａｇｅ  ｐｒｏｊｅｃｔｉｎｇ  ｄｅｖｉｃｅ）４によって形成される第一の通信デバイス４を含んでいる。構成体１は、四つの更なる通信デバイス５、６、７、及び８も含んでいる。これらの四つの通信デバイス５、６、７、及び８はいわゆるラップトップコンピュータである。五つの通信デバイス４、５、６、７、及び８の全ては、互いに通信することを目的とすると共に互いに通信するように構成される。互いの通信は構成体１の場合、図１に点及び破線（ｄｏｔｔｅｄ  ａｎｄ  ｄａｓｈｅｄ  ｌｉｎｅｓ）によって示されているワイヤレスローカルネットワーク（ｗｉｒｅｌｅｓｓ  ｌｏｃａｌ  ｎｅｔｗｏｒｋ）９を介して行われる。ワイヤレスローカルネットワークは、ＩＥＥＥ規格８０２．１１に準拠するネットワークである。しかしながら例えばブルートゥース（Ｂｌｕｅｔｏｏｔｈ）ネットワーク又はイーサネット（Ｅｔｈｅｒｎｅｔ）ネットワークのような、このような通信目的に適している他の何れかのネットワークがこのネットワークの代わりにもたらされてもよい。
【００１８】
第一の通信デバイス４、又はすなわち画像投影デバイス４は、ネットワーク９に接続される通信手段１０と、通信手段１０に接続されるデータ処理手段（ｄａｔａ  ｐｒｏｃｅｓｓｉｎｇ  ｍｅａｎｓ）１１とを含んでいる。当該データ処理手段１１によって、通信手段１０により受信されるデータ又はデータ信号が処理され得る。第一の通信デバイス４は、データ処理手段（ｄａｔａ−ｐｒｏｃｅｓｓｉｎｇ  ｍｅａｎｓ）１１に接続される画像再生手段（ｉｍａｇｅ−ｒｅｐｒｏｄｕｃｉｎｇ  ｍｅａｎｓ）１２も含んでいる。当該画像再生手段１２によって、データ処理手段１１により処理されるデータは光学的に再生され得る。
【００１９】
四つの更なる通信デバイス５、６、７、及び８は、各々のデータ処理手段１３、１４、１５、及び１６を含んでいる。当該データ処理手段によって、各々の通信デバイス５、６、７、及び８に含まれるデータ又はデータ信号が処理され得る。四つの更なる通信デバイス５、６、７、及び８は、各々のデータ処理手段１３、１４、１５、及び１６に接続される各々の通信手段１７、１８、１９、及び２０も含んでいる。通信手段１７、１８、１９、及び２０はネットワーク９に接続されて、その結果通信手段１７、１８、１９、及び２０によって、更に第一の通信デバイス４の通信手段１０によって、五つの通信デバイス４、５、６、７、及び８の全ての間で相互の通信が行われ得る。五つの通信デバイス４、５、６、７、及び８は、非接触態様で読み出し得る各々の読み出しデバイス２１、２２、２３、２４、及び２５を有する。読み出しデバイス２１、２２、２３、２４、及び２５は、各々の読み出しコイル２６、２７、２８，２９、及び３０と、前記読み出しコイルのうちの各々一つに接続される各々の読み出し回路３１、３２、３３、３４、及び３５とを含んでいる。
【００２０】
非接触態様で読み出し得るデータキャリア３６は、読み出しデバイス２１、２２、２３、２４、及び２５の各々との非接触読み出し接続部にもたらされる。データキャリア３６は、送信コイル３７及び送信コイル３７に接続される送信回路３８を含んでいる。送信回路３８は、許可コードＡＵＣが記憶されるメモリ３９を含んでいる。データキャリア３６に含まれる許可コードＡＵＣは、五つの読み出しデバイス２１、２２、２３、２４、及び２５の各々によって読み出され得る。
【００２１】
五つの通信デバイス４、５、６、７、及び８の全ては、各々の読み出しデバイス２１、２２、２３、２４、及び２５に接続される各々の解放デバイス４０、４１、４２、４３、及び４４を含んでいる。読み出しデバイス２１、２２、２３、２４、及び２５の一つによりデータキャリア３６から読み出される許可コードＡＵＣが解放デバイス４０、４１、４２、４３、及び４４の各々一つに伝送されるという事実によって、解放デバイス４０、４１、４２、４３、及び４４は、それらに接続される読み出しデバイス２１、２２、２３、２４、及び２５と共に各々動作する。伝送される許可コードＡＵＣはそれから、解放デバイス４０、４１、４２、４３、又は４４において処理される。この場合、確認（ｃｈｅｃｋ）も行われ、その後すなわち関連する読み出しデバイス２１、２２、２３、２４、又は２５による許可コードＡＵＣの読み出しの後、及び許可コードＡＵＣの確認の後、解放手段４０、４１、４２、４３、及び４４の各々一つに接続されると共にそれによって制御され得る通信手段１０、１３、１４、１５、及び１６の解放が行われる。従って他の通信デバイスとの通信のための各々の通信手段１０、１３、１４、１５、及び１６を含む通信デバイス４、５、６、７、及び８が解放される。
【００２２】
以下、図１に示されている構成体１を使用して行われ得る二つの更なる通信デバイス５及び８と第一の通信デバイス４との間の通信を解放する方法が記載されるであろう。
【００２３】
第一の通信デバイス４、すなわち画像投影デバイス４は既に部屋２にもたらされていることが仮定される。更なる通信デバイス５、６、７、及び８はそれらの各々のユーザによって部屋２にもたらされる。部屋２は、通信デバイス４、５、６、７、及び８の間の直接通信を可能にする領域を形成する。このように通信は、五つの通信デバイス４、５、６、７、及び８の全ての間で直接すなわちネットワーク９を介して行われ得る。
【００２４】
第一の通信デバイス４と更なる二つの通信デバイス５及び８との間の通信を解放するために、互いの通信のために解放され得る通信デバイス４、５、及び８の各々の読み出しデバイス２１、２２、及び２５との連続した非接触読み出し接続部にもたらされる単一のデータキャリア３６が使用される。
【００２５】
データキャリア３６は例えばまず第一の通信デバイス４の周辺部にもたらされ、その結果許可コードＡＵＣが読み出しデバイス２１によってデータキャリア３６から読み出しされる。データキャリア３６はそれから第一の更なる通信デバイス５の周辺部にもたらされ、その結果許可コードＡＵＣが読み出しデバイス２２によってデータキャリア３６から読み出しされる。結果として、読み出しデバイス２１及び２２と共に動作する解放デバイス４０及び４１は、許可コードＡＵＣを解析し、通信手段１０及び１７によってそれを交換すると共に確認し、その後前記確認結果が正（ｐｏｓｉｔｉｖｅ）となる場合、解放デバイス４０及び４１は、第一の通信デバイス４と第一の更なる通信デバイス５との間の通信を解放する。このことは、第一の更なる通信デバイス５から第一の通信デバイス４へのデータ又はデータ信号の送信がそのとき解放されると共に行われることを意味する。この態様で実現されることは、第一の更なる通信デバイス５に含まれるデータはネットワーク９を介して第一の通信デバイス４に送信され、その後送信されるデータはそれから光学的に再生されることである。
【００２６】
この場合許可コードＡＵＣを含むデータキャリア３６の使用と、第一の通信デバイス４及び第一の更なる通信デバイス５において読み出される許可コードＡＵＣの処理との結果として、たった当該二つの通信デバイス４及び５しか互いに通信し得ないが、部屋２にもたらされる全ての他の更なる通信デバイス６、７、及び８は第一の通信デバイス４及び第一の更なる通信デバイス５と通信することが防止されることは保証される。第一の更なる通信デバイス５から第一の通信デバイス４への、所望されるデータ送信が完了させられていると（このことは更なる通信デバイス５のユーザによって意図的になされる）、データキャリア３６は、当該例において第四の更なる通信デバイス８の周辺部にもたらされる。このことは、データキャリア３６に含まれる許可コードＡＵＣがそれから、上記と全く同様な態様で、解放されている第一の通信デバイス４と第四の更なる通信デバイス８との間の通信をもたらす読み出しデバイス２５によって読み出されることを意味する。
【００２７】
当然のことながら、通信が、例えばますデータキャリア３６を第二の更なる通信デバイス６の周辺部にもたらし、それから第三の更なる通信デバイス７の周辺部にもたらすことによって二つの他の更なる通信デバイスの間で解放されることも可能である。これによってそれから最終的にこれら二つ通信デバイス６と７との間で解放される通信がもたらされるであろう。
【００２８】
許可コードＡＵＣが非常に安全な態様でデータキャリア３６に記憶され、このためこの種のデータキャリアは一連のアクセスバリア（ａｃｃｅｓｓ  ｂａｒｒｉｅｒ）を有し、許可コードＡＵＣは、暗号化され、それ故に非常に安全な態様でも記憶されるため、データキャリア３６によって非常に高いレベルのセキュリティが少なくとも二つの通信デバイスの間の通信の解放に対して保証されることが確実にされる。
【００２９】
この場合四つの通信デバイス５１、５２、５３、及び５４を有する構成体５０が図２に示されている。四つの通信デバイス５１、５２、５３、及び５４はいわゆるデスクトップコンピュータである。通信デバイス５１、５２、５３、及び５４は、各々のデータ処理手段５５、５６、５７、及び５８を含んでいる。通信デバイス５１、５２、５３、及び５４は、各々のデータ処理手段５５、５６、５７、及び５８に接続される各々の通信手段５９、６０、６１、及び６２も含んでいる。通信手段５９、６０、６１、及び６２によって通信デバイス５１、５２、５３、及び５４は概略的に示されているデータネットワーク６３、すなわちこの場合いわゆるインタネットに接続される。しかしながらこれは例えばいわゆるイントラネットのような他のデータネットワークとなり得る。
【００３０】
通信デバイス５１、５２、５３、及び５４は、非接触態様で読み出し得る各々の読み出しデバイス６４、６５、６６、及び６７を含んでいる。当該読み出しデバイスに各々の解放デバイス６８、６９、７０、及び７１が接続される。解放デバイス６８、６９、７０、及び７１は、各々の通信デバイス５１、５２、５３、及び５４における通信手段５９、６０、６１、及び６２の各々の一つに接続される。この場合も、読み出しデバイス６４、６５、６６、及び６７は、データキャリアに属するメモリからの許可コードＡＵＣの非接触読み出しを目的にすると共に当該非接触読み出しのために構成される。解放デバイス６８、６９、７０、及び７１は、他の通信デバイスとの通信のために、通信手段５９、６０、６１、及び６２の各々の一つ、それ故に通信デバイス５１、５２、５３、及び５４の各々の一つを解放することを目的にすると共に解放するために構成される。図２に示されている構成体において、互いの通信のために解放されるべき通信デバイス５１、５２、５３、及び５４は、通信デバイス５１、５２、５３、及び５４の間に直接の通信を可能にさせない複数の領域に分割される。通信デバイス５１、５２、５３、及び５４の間の通信は第一の送信チャネルを介して間接的にのみ可能となることを意味する。この第一の送信チャネルはデータネットワーク６３、すなわちインタネットによって形成される。
【００３１】
図２に示されている構成体５０において、通信に対して解放されるべき通信デバイス５１、５２、５３、及び５４の各々が、当該デバイスに関係する別個のデータキャリアを有している。この目的のために、以下に記載の解決策が意図される。構成体５０において、通信デバイス５１、５２、５３、及び５４は、当該デバイスに関係する各々のモバイル電話器７２、７３、７４、及び７５を有している。モバイル電話器７２、７３、７４、及び７５は、モバイル電話ネットワーク７６によって通信目的のために互いに接続され得る。このモバイル電話ネットワーク７６は第二の送信チャネルを表している。
【００３２】
モバイル電話器７２、７３、７４、及び７５は、各々のアンテナ８１、８２、８３、及び８４によって各々のモバイル電話器７２、７３、７４、及び７５により受信される信号を処理することを目的にすると共に処理するように構成される各々の信号処理手段７７、７８、７９、及び８０を含んでいる。
【００３３】
モバイル電話器７２、７３、７４、及び７５は、各々のデータキャリア８５、８６、８７、及び８８、又はデータキャリア回路も含んでいる。データキャリア８５、８６、８７、及び８８は、信号処理回路７７、７８、７９、及び８０の各々の一つに接続されると共に、許可コードＡＵＣを記憶するための各々のメモリ８９、９０、９１、及び９２を含む。各々のモバイル電話器７２、７３、７４、及び７５におけるデータキャリア８５、８６、８７、及び８８は、各々のモバイル電話器７２、７３、７４、及び７５に関係する通信デバイス５１、５２、５３、及び５４の各々の読み出しデバイス６４、６５、６６、及び６７との非接触読み出し接続部にもたらされ得る。それ故に、この種の非接触読み出し接続部が構成されると、各々のメモリ８９、９０、９１、及び９２に記憶される許可コードＡＵＣが読み出され得ると共に各々の通信デバイス５１、５２、５３、及び５４に伝送され得る。
【００３４】
図２に示されている構成体５０において、許可コードＡＵＣは、中心点９３からモバイル電話ネットワーク７６を介して各々のモバイル電話器７２、７３、７４、又は７５に送信され、信号処理回路７７、７８、７９、及び８０によって処理され、それからモバイル電話器７２、７３、７４、及び７５に収容されるデータキャリア８５、８６、８７、及び８８の各々に記憶され得る。モバイル電話器７２、７３、７４、及び７５への許可コードＡＵＣのこのような送信に後続して、各々のこのようなモバイル電話器７２、７３、７４、又は７５は、所与のモバイル電話器７２、７３、７４、又は７５に関係する通信デバイス５１、５２、５３、又は５４の周辺部にもたらされ得る。この手段によってそれから、許可コードＡＵＣは読み出されることが可能になり、それ故に、許可コードＡＵＣの当該読み出し、並びに許可コードＡＵＣの処理及び確認の後、四つの通信デバイス５１、５２、５３、又は５４の間の通信の解放は関連する解放デバイス６８、６９、７０、又は７１において行われることが可能になる。
【００３５】
図２に示されている構成体５０において、許可コードＡＵＣは、非接触態様で読み出され得る複数のデータキャリア８５、８６、８７、及び８８に分散させられ、データネットワーク６３と異なるモバイル電話ネットワーク７６は、別個のデータキャリア８５、８６、８７、及び８８への許可コードＡＵＣの送信に対して使用される。当該手段によって、データネットワーク６３を介する通信デバイス５１、５２、５３、及び５４の間の通信の解放に対して高いセキュリティがもたらされる。
【図面の簡単な説明】
【００３６】
【図１】本発明による通信デバイスの第一の構成例の、部分的にブロック回路図の形態で示されている、非常に概略的な図である。
【図２】本発明による通信デバイスの第二の構成例の、図１と同様の図である。
【図１】
2005520419.tif 000003
【図２】
2005520419.tif 000004
【国際調査報告】
2005520419.tif 000005
2005520419.tif 000006
2005520419.tif 000007